(57)【要約】【課題】ＬＥＤを用いて複数の浴室内器具と色を組合せた複合的な演出照明を行い、浴室全体を考慮した浴室演出照明装置を提供する。【解決手段】２ヶ所以上の浴室内器具に組込まれた単数または複数のＬＥＤにより構成され、これらの浴室内器具は同じ色を同時に点灯するよう連動していることを特徴とした浴室演出照明装置なので、例えば浴槽、シャワーハ゜ネル、カウンターエフ゜ロン、天井ハ゜ネル、ハ゛ス水栓、カウンター水栓等の浴室内器具に単数または複数のＬＥＤを組込み、少なくともこれら２ヶ所以上の浴室内器具が同じ色を同時に点灯するよう連動されていることにより、浴室全体を同色の光で装飾する効果的に演出照明が可能となる。【選択図】図１
2004071501.tif 000002
【特許請求の範囲】
【請求項１】
ＬＥＤ（発光タ゛イオート゛）からの光の照射により浴室空間を演出する浴室演出照明装置であって、該照明装置は少なくとも２ヶ所以上の浴室内器具に組込まれた単数または複数のＬＥＤにより構成され、これらの浴室内器具は同じ色を同時に点灯するよう連動していることを特徴とした浴室演出照明装置。
【請求項２】
ＬＥＤ（発光タ゛イオート゛）からの光の照射により浴室空間を演出する浴室演出照明装置であって、該照明装置は少なくとも２ヶ所以上の浴室内器具に組込まれた単数または複数のＬＥＤにより構成され、　これらの浴室内器具は異なる色を同時に点灯するよう連動していることを特徴とした浴室演出照明装置。
【請求項３】
ＬＥＤ（発光タ゛イオート゛）からの光の照射により浴室空間を演出する浴室演出照明装置であって、該照明装置は少なくとも２ヶ所以上の浴室内器具に組込まれた単数または複数のＬＥＤにより構成され、　これらの点灯する浴室内器具の種類が、時間と共に変化することを特徴とした浴室演出照明装置。
【請求項４】
請求項３に記載の浴室演出照明装置において、点灯する浴室内器具の種類や点灯時間が、任意に調節できることを特徴とした浴室演出照明装置。
【発明の詳細な説明】
【０００１】
【発明の属する技術分野】
本発明は浴室内の演出照明装置に関するものである。
【０００２】
【従来の技術】
浴室内でＬＥＤを用いる演出照明の技術は、特開２００１−２９７６０５、及び特開２００１−２３６８２１等で既に考案されていたように、浴室内器具単体における演出照明しか考慮されていなかった。
【０００３】
【発明が解決しようとする課題】
このため、
▲１▼　複数の浴室内器具に組み込まれたＬＥＤを連動させて、同色または複数の色を同時に点灯させる浴室全体の装飾照明が不十分であった。
▲２▼　入浴者が浴室内にいる位置や状態に応じて、点灯する浴室内器具の種類を変化させるという発想がなかった。また点灯する時間を調節し、入浴者の位置や好みにより、点灯する浴室内器具の時間を変化させるという発想がなかった。
といった問題点があった。
本発明はこれらの課題を解決するためになされたもので、本発明の目的は、ＬＥＤを用いて複数の浴室内器具と色を組合せた複合的な演出照明を行い、浴室全体を考慮した演出照明装置を提供することにある。
【０００４】
【課題を解決するための手段及び効果】
請求項１記載の発明は、浴槽、シャワーハ゜ネル、カウンターエフ゜ロン、天井ハ゜ネル、ハ゛ス水栓、カウンター水栓等の浴室内器具に単数または複数のＬＥＤを組込み、少なくともこれら２ヶ所以上の浴室内器具が同じ色を同時に点灯するよう連動されていることである。これにより、浴室全体を同色の光で装飾する効果的に演出照明が可能となる。
【０００５】
請求項２記載の発明は、浴槽、シャワーハ゜ネル、カウンターエフ゜ロン、天井ハ゜ネル、ハ゛ス水栓、カウンター水栓等の浴室内器具に単数または複数のＬＥＤを組込み、少なくともこれら２ヶ所以上の浴室内器具が異なる色を同時に点灯するよう連動していることである。これにより、浴室全体を複数色の光で装飾する効果的な演出照明が可能となる。
【０００６】
請求項３記載の発明は、浴槽、シャワーハ゜ネル、カウンターエフ゜ロン、天井ハ゜ネル、ハ゛ス水栓、カウンター水栓等の浴室内器具に単数または複数のＬＥＤを組込み、少なくともこれらの２ヶ所以上の点灯する浴室内器具が時間と共に変化することである。これにより、浴槽内にいる場合、洗い場にいる場合等、入浴者のいる位置や状況に応じた効果的な演出照明が可能である。
【０００７】
請求項４記載の発明は、請求項３の発明において、ＬＥＤを組み込んだ浴室内器具の点灯する種類、及び時間が、入浴者の位置や好みに合わせて、調節できる機構になっていることである。これにより、浴槽内にいる場合は浴槽やハ゛ス水栓等、浴槽廻りの浴室内器具を他の浴室内器具より長く点灯させることで、効果的な演出を行うことが可能である。
【０００８】
【発明の実施の形態】
本発明の実施の形態を図１〜図７に示す。
図１は浴槽１、シャワーハ゜ネル５、天井ハ゜ネル７、カウンターエフ゜ロン１１、ハ゛ス水栓１３、カウンター水栓１５等の浴室内器具に単数または複数のＬＥＤを組み込んだ例である。ＬＥＤは赤、青、緑、白の異なる色から構成されており、各色の光量を可変させることで、様々な色を点灯できる構造となっている。またＬＥＤ点灯部分２、６、８、１２、１４、１６は、乳白色または透明で表面に凹凸が付いているカハ゛ーを介して光を点灯しており、赤、青、緑、白のＬＥＤ光源が直接見えないよう工夫されている。各浴室内器具に組み込まれたＬＥＤの制御部１９は、天井ハ゜ネル１７の裏等の浴室外で一箇所に集約されており、このため浴室内の一つの操作ハ゜ネル１８で、全てのＬＥＤが連動した操作ができるよう工夫されている。浴槽１に組込まれた浴槽用ＬＥＤ点灯部２は浴槽水中を照らし、天井ハ゜ネル７に組込まれた天井用ＬＥＤ点灯部８は天井面を、シャワーハ゜ネル５に組込まれたシャワーハ゜ネル用ＬＥＤ点灯部６は壁面３や壁に取付けられた鏡４を、カウンターエフ゜ロン１１に組込まれたカウンターエフ゜ロン用ＬＥＤ点灯部１２は床面９を照らす構造になっている。ハ゛ス水栓１３に組み込まれたハ゛ス水栓用ＬＥＤ点灯部１４、及びカウンター水栓１５に組み込まれたカウンター水栓用ＬＥＤ点灯部１６は、吐水口の後の設置されており、吐水口から吐水された水に直接光を当てて、水と光が複合した効果的な演出照明を行う。これらのＬＥＤは全て浴室照明１７と連動しており、これらのＬＥＤを点灯させると同時に、浴室照明１７は自動的に消灯または照度が低減する同期機能が併設されており、浴室内を暗くすることで浴室内のＬＥＤの光を効果的に見せる工夫が盛込まれている。これらの各浴室内器具に組み込まれたＬＥＤは、全て同時に同じ色を点灯させることが可能であり、浴室全体を装飾した演出照明を行うことが可能である。
【０００９】
図２は、予め設定されたフ゜ロク゛ラムに基づき、時間の経過と共に各浴室内器具に組み込んだＬＥＤの赤、青、緑、白の光量を同時に変化させ、各浴室内器具が同じ色を点灯しながら色が変わるようにしたハ゜ターン図である。ＬＥＤ内の赤、青、緑、白の光量を全て同時に変化させることで、浴室全体は同じ色を点灯した状態を保ちながら、時間の経過により色を変化させることが可能であり、容易に浴室全体を好みの色に装飾することができる。
【００１０】
図３は予め設定されたフ゜ロク゛ラムに基づき、時間の経過と共に各浴室内器具に組み込んだＬＥＤの赤、青、緑、白の光量を別々に変化させ、各浴室内器具が異なる色を点灯するようにしたハ゜ターン図である。ＬＥＤの光量を全て別々に変化させることで、各浴室器具は別々の色を点灯し、時間の経過によりこれらの色をさらに別の色に変化させることが可能である。例えば、浴槽から赤色、シャワーハ゜ネルから白色とそれぞれ異なる色を同時に点灯させることにより、異なる色が交じり合う境界空間では中間色であるヒ゜ンク系の色が発生し、ク゛ラテ゛ーション的な光の演出照明を行うことができる。また時間の経過とともに、浴槽は赤色から青色へ、シャワーハ゜ネルは白色から緑色へ色が変わるようにしておくと、さらに色のハ゛リエーションが広がる。このように点灯する浴室内器具が多くなり、各浴室内器具がそれぞれ別々の色を点灯する程、各境界空間で様々な色の中間色が発生し、浴室全体を実際に点灯している色以上の色に装飾することが可能である。
【００１１】
図４は、予め設定されたフ゜ロク゛ラムに基づき、時間の経過と共に点灯する浴室内器具が変化することを表したハ゜ターン図である。浴槽、天井、シャワーハ゜ネル等の浴室内器具は、単数または複数で点灯する浴室内器具を時間の経過と共に変化させることが可能である。これら点灯する浴室内器具、及び色は、入浴者の好みにより調節できる装置が設けられており、入浴者の位置や嗜好、気分に合わせた浴室全体の装飾を演出することが可能である。
【００１２】
図５は、入浴者が浴槽に浸かりながら照明を楽しむ場合の浴室内器具点灯ハ゜ターン例である。浴槽とシャワーハ゜ネル、浴槽と天井ハ゜ネル、浴槽とハ゛ス水栓、これら全て等、点灯する浴室内器具は、全て浴槽を中心に変化するよう予めフ゜ロク゛ラム設定されており、他に洗い場に座っている場合、洗い場で立ってシャワーを浴びている場合、浴槽に腰掛けてくつろいでいる場合等、入浴者の位置や状況に応じたフ゜ロク゛ラムが準備されている。またこのフ゜ロク゛ラムは、点灯する浴室内器具、点灯時間、点灯する色等を入浴者の好みにより変更できる機構になっており、入浴者の嗜好に合わせた照明シーンへ簡単に変更できる工夫がなされている。
【００１３】
図６は浴室内器具のシャワーハ゜ネルに複数のＬＥＤを組み込み、これらのＬＥＤを異なる色で点灯させた実施例である。ＬＥＤは赤、青、緑、白の光量を調節することで、様々な色を点灯させることができる。シャワーハ゜ネルにＬＥＤが片側７個、両側合計１４個組み込まれており、上から順に赤、橙、黄、緑、青、藍、紫色を点灯させると、虹色の照明を演出することが可能である。
【００１４】
図７は、図６の虹色の照明において、点灯する色が時間の経過により赤→橙→黄→緑→青→藍→紫の順番に変化するよう設定すると、虹色の照明に動きをもたせた演出が可能である。
【００１５】
【図面の簡単な説明】
【図１】本発明の複数の浴室内器具にＬＥＤを組み込んだ場合の実施例を示す斜視図である。
【図２】本発明の複数の浴室内器具に組み込んだＬＥＤに同色の色を点灯させ、時間の経過と共に変化させた場合のハ゜ターン例である。
【図３】本発明の複数の浴室内器具に組み込んだＬＥＤに別々の色を点灯させ、時間の経過と共に変化させた場合のハ゜ターン例である。
【図４】予め設定されたフ゜ロク゛ラムに基づき、時間の経過と共に点灯する浴室内器具が変化することを表したハ゜ターン図である。
【図５】入浴者が浴槽に浸かりながら照明を楽しむ場合の浴室内器具点灯ハ゜ターン図である。
【図６】シャワーハ゜ネル５に片側７個、両側合計１４個のＬＥＤ２０を組込み、上から順に赤、オレンシ゛、黄、緑、青、藍、紫を点灯させ浴室内で虹色の照明を演出した場合の実施例である。
【図７】図６に示す実施例において、点灯する色を時間の経過により赤→オレンシ゛→黄→緑→青→藍→紫の順に変化させて虹色の照明に動きをもたせた実施例である。
【符号の説明】
１……浴槽
２……浴槽用ＬＥＤ点灯部
３……壁ハ゜ネル
４……鏡
５……シャワーハ゜ネル
６……シャワーハ゜ネル用ＬＥＤ点灯部
７……天井ハ゜ネル
８……天井ハ゜ネル用ＬＥＤ点灯部
９……床面
１０……カウンター
１１……カウンターエフ゜ロン
１２……カウンターエフ゜ロン用ＬＥＤ点灯部
１３……ハ゛ス水栓
１４……ハ゛ス水栓用ＬＥＤ点灯部
１５……カウンター水栓
１６……カウンター水栓用ＬＥＤ点灯部
１７……浴室照明
１８……操作ハ゜ネル
１９……制御部
２０……ＬＥＤ
【図１】
2004071501.tif 000003
【図２】
2004071501.tif 000004
【図３】
2004071501.tif 000005
【図４】
2004071501.tif 000006
【図５】
2004071501.tif 000007
【図６】
2004071501.tif 000008
【図７】
2004071501.tif 000009